(57)【要約】【課題】  複数の送信モードのうち一の送信モードを選択して動作可能な無線通信端末においては、高速な送信データレートの送信モードを選択したときは、消費電流が大きくて端末温度が上昇し、また電池電圧の消耗が激しい。【解決手段】  電池１０６を電源とし、第１及び第２の送信モードのうち、送信データレートが高速である方の第１の送信モードで動作を開始後、第２の送信モードに切替可能な無線通信端末１００において、第１の送信モードで動作中に温度センサ１０４で検出された端末温度が一定温度Ａより高くなると、送信モードをそれまでの第１の送信モードから第２の送信モードに切替える。また、制御部１０３は、第２の送信モードで動作中に端末温度が一定温度Ｂ（＜Ａ）以下に低下すると、再び第１の送信モードに切り替える。また、電池電圧が設定値以下になった時には、第２の送信モードに切り替える。【選択図】            図１
2006245862.tif 000002
【特許請求の範囲】
【請求項１】
複数の送信モードのうち、選択した送信モードにより動作する無線通信端末において、
端末内部の端末温度を検出する温度検出手段と、
前記温度検出手段により検出された端末温度をモニタし、該端末温度が予め設定した第１の設定温度より高くなったとき、又は前記第１の設定温度よりも低い予め設定した第２の設定温度以下となったとき、その時点で動作中の送信モードから別の送信モードに切り替える送信モード切り替え手段と
を有することを特徴とする無線通信端末。
【請求項２】
前記送信モード切り替え手段は、前記端末温度が前記第１の設定温度よりも高くなったときには、その時点で動作中の送信モードよりも送信データレートの遅い送信モードに切り替え、前記端末温度が前記第２の設定温度以下となったときには、その時点で動作中の送信モードよりも送信データレートの速い送信モードに切り替えることを特徴とする請求項１記載の無線通信端末。
【請求項３】
電池を電源とし、複数の送信モードのうち、選択した送信モードにより動作する無線通信端末において、
前記電池の電池電圧を検出する電池電圧検出手段と、
前記電池電圧検出手段により検出された電池電圧をモニタし、該電池電圧が予め設定した設定値より低下したとき、その時点で動作中の送信モードから別の送信モードに切り替える送信モード切り替え手段と
を有することを特徴とする無線通信端末。
【請求項４】
第１及び第２の送信モードのうち、送信データレートが高速である方の前記第１の送信モードで動作を開始後、前記第２の送信モードに切替可能な無線通信端末において、
端末内部の端末温度を検出する温度検出手段と、
前記第１の送信モードでの動作中に前記温度検出手段により検出された端末温度をモニタし、該端末温度が予め設定した第１の設定温度より高くなったときは前記第２の送信モードに切り替え、前記第２の送信モードでの動作中に前記温度検出手段により検出された端末温度をモニタし、該端末温度が前記第１の設定温度よりも低い予め設定した第２の設定温度以下となったとき、前記第１の送信モードに切り替える送信モード切り替え手段と
を有することを特徴とする無線通信端末。
【請求項５】
電池を電源とし、第１及び第２の送信モードのうち、送信データレートが高速である方の前記第１の送信モードで動作を開始後、前記第２の送信モードに切替可能な無線通信端末において、
前記電池の電池電圧を検出する電池電圧検出手段と、
前記第１の送信モードでの動作中に前記電池電圧検出手段により検出された電池電圧をモニタし、該電池電圧が予め設定した設定値より低下したとき、前記第１の送信モードから前記第２の送信モードに切り替える送信モード切り替え手段と
を有することを特徴とする無線通信端末。
【請求項６】
前記第１の送信モードは、単位フレーム中の送信スロット数の多重化及び送信信号の変調方式の切り替えが可能なノーマルモードであり、前記第２の送信モードは、単位フレーム中の送信スロット数の多重化及び送信信号の変調方式の切り替えが不可である送信制御モードであることを特徴とする請求項４又は５記載の無線通信端末。
【発明の詳細な説明】
【技術分野】
【０００１】
本発明は無線通信端末に係り、特に複数の送信モードを有し、その中から選択した送信モードで動作する無線通信端末に関する。
【背景技術】
【０００２】
ＧＰＲＳ（General Packet Radio Service）／ＥＧＰＲＳ(Enhanced General Packet Radio Service)等に代表される無線通信端末では、単位フレーム中の送信スロット数の多重化や送信信号の変調方式を変化させることにより、送信データレートを高速化する手法が用いられている。しかし、この手法では、高速時に消費電流が大きくなることにより、無線通信端末の温度上昇が生じる、電池消費が早くなる等の問題がある。
【０００３】
そこで、従来から温度上昇を低減する機能を備えた無線通信端末が知られている（例えば、特許文献１〜３参照）。すなわち、特許文献１記載の従来の無線通信端末では、連続送信時間を制限し、制限時間経過後に送信出力を減衰した状態で送信を行い、温度センサが一定の温度を越えた場合に送信出力を停止する構成である。
【０００４】
また、特許文献２記載の従来の無線通信端末は、送信信号を増幅するＰＡモジュールが高温になり、増幅能力が低下した場合は、ＰＡモジュールのゲート電圧の絶対値を高くしてＰＡモジュールの電流量を抑制するようにした構成である。更に、特許文献３には、移動局の温度制御を実行するための温度測定機器を設け、温度がしきい値を超えている場合には伝送速度を減少させる移動局が開示されている。
【０００５】
【特許文献１】特開２００３−３０９４７３号公報（第２−３頁）
【特許文献２】特開平８−２０４５８７号公報（第５−７頁、第１２頁）
【特許文献３】特表２００２−５３１０２３号公報（第１７頁）
【発明の開示】
【発明が解決しようとする課題】
【０００６】
しかるに、上記の特許文献１記載の従来の無線通信端末は、端末内の温度としきい値電圧との比較結果に応じて、送信電力を制御するか送信停止するものであり、また、特許文献２記載の従来の無線通信端末は、ＰＡモジュールのゲート電圧を制御するものであり、送信モードを切り替えて温度を低下させる構成ではない。また、特許文献３記載の従来の無線通信端末は、１フレームで受信及び／又は送信される最大のタイムスロット数のうち、送信スロットと受信スロットの比を替えて伝送速度を減少させるものであり、送信モードを切り替えるものではない。
【０００７】
本発明は上記の点に鑑みなされたもので、複数の送信モードを有し、さらに端末温度、電池電圧等のハードウェア状態をモニタし、そのモニタ結果に応じて複数の送信モードのうちの一の送信モードに切り替え制御を行うことにより、ハードウェア状態により最適な送信モードで動作する無線通信端末を提供することを目的とする。
【課題を解決するための手段】
【０００８】
上記の目的を達成するため、本発明は、複数の送信モードのうち、選択した送信モードにより動作する無線通信端末において、端末内部の端末温度を検出する温度検出手段と、温度検出手段により検出された端末温度をモニタし、端末温度が予め設定した第１の設定温度より高くなったとき、又は第１の設定温度よりも低い予め設定した第２の設定温度以下となったとき、その時点で動作中の送信モードから別の送信モードに切り替える送信モード切り替え手段とを有することを特徴とする。この発明では、端末温度に応じて送信モードを切り替えることができる。
【０００９】
また、上記の目的を達成するため、本発明は、送信モード切り替え手段を、端末温度が第１の設定温度よりも高くなったときには、その時点で動作中の送信モードよりも送信データレートの遅い送信モードに切り替え、端末温度が第２の設定温度以下となったときには、その時点で動作中の送信モードよりも送信データレートの速い送信モードに切り替える構成としたことを特徴とする。送信データレートの遅い送信モードは送信データレートの速い送信モードに比べて消費電流が少ないので、端末温度が第１の設定温度よりも高くなったときには、その時点で動作中の送信モードよりも送信データレートの遅い送信モードに切り替えることにより、消費電流を少なくでき、それにより端末温度の上昇を抑制することができる。
【００１０】
また、上記の目的を達成するため、本発明は電池を電源とし、複数の送信モードのうち、選択した送信モードにより動作する無線通信端末において、電池の電池電圧を検出する電池電圧検出手段と、電池電圧検出手段により検出された電池電圧をモニタし、電池電圧が予め設定した設定値より低下したとき、その時点で動作中の送信モードから別の送信モードに切り替える送信モード切り替え手段とを有することを特徴とする。この発明では、電池電圧に応じて送信モードを切り替えることができる。
【００１１】
また、上記の目的を達成するため、本発明は第１及び第２の送信モードのうち、送信データレートが高速である方の第１の送信モードで動作を開始後、第２の送信モードに切替可能な無線通信端末において、端末内部の端末温度を検出する温度検出手段と、第１の送信モードでの動作中に温度検出手段により検出された端末温度をモニタし、端末温度が予め設定した第１の設定温度より高くなったときは第２の送信モードに切り替え、第２の送信モードでの動作中に温度検出手段により検出された端末温度をモニタし、端末温度が第１の設定温度よりも低い予め設定した第２の設定温度以下となったとき、第１の送信モードに切り替える送信モード切り替え手段とを有することを特徴とする。
【００１２】
この発明では、第１の送信モードの方が第２の送信モードに比べて送信データレートが高速であるため、消費電流が多くて第１の送信モードで動作中の端末の内部温度（端末温度）が時間の経過と共に上昇するのに対し、第２の送信モードでは送信データレートが低速であり消費電流が少なく、第２の送信モードで動作中は端末温度が時間の経過と共に低下することに鑑み、第１の送信モードでの動作中に端末温度が第１の設定温度より高くなったときは第２の送信モードに切り替えることで端末温度を低下させ、第２の送信モードでの動作中に端末温度が第２の設定温度以下となったときは、第１の送信モードに切り替えることで高速な送信データレートでの動作を可能とすることができる。
【００１３】
また、上記の目的を達成するため、本発明は、電池を電源とし、第１及び第２の送信モードのうち、送信データレートが高速である方の第１の送信モードで動作を開始後、第２の送信モードに切替可能な無線通信端末において、電池の電池電圧を検出する電池電圧検出手段と、第１の送信モードでの動作中に電池電圧検出手段により検出された電池電圧をモニタし、電池電圧が予め設定した設定値より低下したとき、第１の送信モードから第２の送信モードに切り替える送信モード切り替え手段とを有することを特徴とする。
【００１４】
この発明では、第１の送信モードの方が第２の送信モードに比べて送信データレートが高速であるため、消費電流が多くて第１の送信モードで動作中の端末の電池電圧が時間の経過と共に大きく低下するのに対し、第２の送信モードは送信データレートが低速であるため、消費電流が少なく第２の送信モードで動作中の端末の電池電圧が時間の経過と共に低下する割合が第１の送信モードで動作中よりも小さいことに鑑み、第１の送信モードでの動作中に電池電圧が設定値より低下したときは第２の送信モードに切り替えることで電池消費の割合を減少させることができる。
【００１５】
ここで、上記の第１の送信モードは、単位フレーム中の送信スロット数の多重化及び送信信号の変調方式の切り替えが可能なノーマルモードであり、第２の送信モードは、単位フレーム中の送信スロット数の多重化及び送信信号の変調方式の切り替えが不可である送信制御モードであってもよい。
【発明の効果】
【００１６】
本発明によれば、複数の送信モードのうち選択した送信モードで動作する無線通信端末において、端末温度又は電池電圧に応じて送信モードを切替えるようにしたため、無線通信端末の温度上昇又は電池消費を抑制し、ハードウェア状態により最適な送信モードを選択することができる。
【発明を実施するための最良の形態】
【００１７】
次に、本発明の実施の形態について図面と共に説明する。図１は本発明になる無線通信端末の一実施の形態のブロック図を示す。同図に示すように、この無線通信端末１００は、最寄りの無線基地局（図示せず）との間で無線通信する無線部１０１と、無線部１０１で送受信する信号を処理するベースバンド部１０２と、この無線通信端末の全体を統括的に制御する制御部１０３と、端末内部の温度を検出する温度センサ１０４と、電池１０６の電圧値を検出する電池電圧センサ１０５とから構成され、電池１０６の電源供給により動作する。
【００１８】
無線部１０１は、制御部１０３の制御に従い、ベースバンド部１０２から入力される信号を無線基地局に送信し、無線基地局から送信される信号を検索、受信してベースバンド部１０２に出力する。ベースバンド部１０２は制御部１０３の指定するデータのベースバンド処理を行った後に無線部１０１に出力し、無線部１０１から入力される信号のベースバンド処理を行う。制御部１０３は無線部１０１及びベースバンド部１０２の制御を行う。
【００１９】
温度センサ１０４は無線通信端末１００内の温度をモニタし（検出し）、その検出温度を制御部１０３に出力する。電池電圧センサ１０５は電池１０６の電池電圧をモニタし（検出し）、その検出値を制御部１０３に出力する。
【００２０】
次に、本実施の形態の無線通信端末１００が動作可能な送信モードについて、図２と共に説明する。図２において、送信モードの「ノーマル」は、送信スロット（Ｓｌｏｔ）の多重化と変調方式の切替が可能であり、送信データレートは高速であるが、消費電流が大きい。この送信モード「ノーマル」のＧＰＲＳ／ＥＧＰＲＳでの例として、ＥＧＰＲＳ  Ｃｌａｓｓ１０の端末があげられる。この端末は、最大送信スロット数が２で、変調方式は、ＧＭＳＫと８ＰＳＫの切替が可能である。
【００２１】
また、送信モードの「送信制御モード」は、図２に示すように、送信スロット（Ｓｌｏｔ）の多重化と変調方式の切替がいずれも不可であり、送信データレートは低速であるが消費電流は少ない。この送信モード「送信制御モード」のＧＰＲＳ／ＥＧＰＲＳでの例としては、ＧＰＲＳ  Ｃｌａｓｓ８の端末があげられる。この端末は、最大送信スロット数が１であり、変調方式はＧＭＳＫのみである。
【００２２】
次に、図２の２つの送信モードを備えた図１の実施の形態の動作について、図３のフローチャートを併せ参照して説明する。図１の制御部１０３は、初期状態では送信モード「ノーマル」で動作開始するように端末を制御し（図３のステップＳ１）、この送信モード「ノーマル」での動作中において、温度センサ１０４で検出された端末内の温度（端末温度）をモニタし（図３のステップＳ２）。検出した端末温度が一定温度Ａより高いか否か判定する（図３のステップＳ３）。
【００２３】
制御部１０３は、検出した端末温度が一定温度Ａ以下であるとステップＳ３で判定した場合は、引き続き送信モード「ノーマル」で高速な伝送速度で動作すると共に、温度センサ１０４で検出された端末温度が一定温度Ａより高くなったかどうかを監視している（ステップＳ１〜Ｓ３）。
【００２４】
送信モード「ノーマル」では高速な伝送速度を確保できる反面、消費電流が大きいため、動作時間が長くなるほど、端末の発熱や電池消費が大きくなる傾向にある。このため、動作時間が長くなると、温度センサ１０４で検出された端末温度が一定温度Ａより高くなる。制御部１０３は、ステップＳ３で端末温度が一定温度Ａより高くなったと判定すると、送信モードをそれまでの「ノーマル」から「送信制御モード」に切替える（図３のステップＳ４）。
【００２５】
制御部１０３は、「送信制御モード」に切り替えると、温度センサ１０４で検出された端末温度が一定温度Ｂ（＜Ａ）以下になったかどうかを監視する（図３のステップＳ５）。送信モード「送信制御モード」は、送信データレートは低速であるが、消費電流が少ないため、無線通信端末１００の端末温度の上昇を抑制することができ、動作時間が長くなると端末温度が低下する傾向にある。そこで、前記一定温度Ａよりも低い所定の一定温度Ｂを設定し、制御部１０３は、端末温度が一定温度Ｂ以下に低下するまでは、「送信制御モード」で無線通信端末１００を動作させる（図３のステップＳ５、Ｓ６）。
【００２６】
制御部１０３は、ステップＳ６で端末温度が一定温度Ｂ以下になったと判定すると、再び送信モードを「ノーマル」に切り替える（図３のステップＳ７）。その後、再びステップＳ２以降の動作が、動作終了まで繰り返される。
【００２７】
図４は無線通信端末１００の端末温度の変遷の一例のグラフを示す。同図において、区間Ｔ１においては無線通信端末１００は送信モード「ノーマル」で動作しており、端末温度が上昇傾向にある。無線通信端末１００は端末温度が一定温度Ａを超えたことを検出すると、送信モードを「送信制御モード」に切替える。「送信制御モード」で動作している区間Ｔ２においては、無線通信端末１００は端末温度が下降傾向にある。「送信制御モード」で動作している無線通信端末１００は、端末温度が一定温度Ｂ以下になったことを検出すると、再び送信モードを「ノーマル」に切替え、区間Ｔ３では送信モード「ノーマル」で動作する。
【００２８】
このように、本実施の形態の無線通信端末１００は、動作開始以降、送信モードを「ノーマル」として、端末温度が一定温度Ａを超えるまでは高速な伝送速度で動作し、端末温度が一定温度Ａを超えると、送信モードを「送信制御モード」に切り替え、端末温度の上昇を抑制し、この送信制御モードで端末温度が一定温度Ｂ以下にまで低下すると再び送信モードを高速な「ノーマル」に切り替えるようにしたため、端末温度に応じた最適な送信モードを選択して、最適な動作をさせることができる。
【００２９】
次に、本発明の他の実施の形態について説明する。この実施の形態は、基本的な構成は、図１と同じであり、また送信モードも図２に示した２つの送信モードの切替が可能な構成であるが、上記の実施の形態では端末温度をモニタしていたのに対し、この実施の形態では電池電圧をモニタし送信手段を選択する点に特徴がある。
【００３０】
図１において、制御部１０３は電池電圧センサ１０５で検出された電池１０６の電池電圧をモニタし、モニタした電池電圧が一定電圧Ｃに達するまでは送信モード「ノーマル」で動作する。送信モード「ノーマル」は送信データレートは高速であるが、消費電流が大きいため電池１０６の電池電圧消費が大きい傾向がある。従って、動作時間が長くなるほど、電池電圧が低下していく。
【００３１】
制御部１０３は、電池電圧センサ１０５から供給されるモニタ電池電圧が、上記の一定電圧Ｃを下回ったことを検出すると、送信モードを「ノーマル」から「送信制御モード」に切替える。送信モード「送信制御モード」は送信データレートは低速であるが、消費電流が少ないため電池１０６の電池消費を抑制することができる。従って、「送信制御モード」では、「ノーマル」に比べて電池電圧の低下の割合が少なくなる。これにより、電池１０６を従来に比べてより長時間使用することができる。
【００３２】
図５は無線通信端末１００の電池電圧の変遷の一例のグラフを示す。図５において、区間Ｔ４においては無線通信端末１００は高速な伝送速度の送信モード「ノーマル」で動作しており、電池電圧は時間の経過と共に低下していく。無線通信端末１００は電池電圧が一定電圧Ｃを下回ったことを検出すると、送信モードを「送信制御モード」に切替える（区間Ｔ４→区間Ｔ５）。低速な伝送速度の「送信制御モード」で動作している区間Ｔ５においては、無線通信端末１００の電池電圧は送信モード「ノーマル」で動作している区間Ｔ４に比べて、緩やかな傾斜で低下していく。
【００３３】
このようにして、この実施の形態では、制御部１０３が電池電圧センサ１０５で検出された電池１０６の電池電圧をモニタし、電池電圧が一定電圧Ｃを下回ったことを検出すると、送信モードを低速な送信制御モードに切替えることにより、電池１０６の電池消費を抑制し、ハードウェア状態により最適な送信手段を選択することができるという効果が得られる。
【図面の簡単な説明】
【００３４】
【図１】本発明の一実施の形態のブロック図である。
【図２】本発明における送信モードの一例を示す図である。
【図３】本発明の一実施の形態の動作説明用フローチャートである。
【図４】端末温度の変遷の一例を示すグラフである。
【図５】電池電圧変遷の一例を示すグラフである。
【符号の説明】
【００３５】
１００  無線通信端末
１０１  無線部
１０２  ベースバンド部
１０３  制御部
１０４  温度センサ
１０５  電池電圧センサ
１０６  電池
【図１】
2006245862.tif 000003
【図２】
2006245862.tif 000004
【図３】
2006245862.tif 000005
【図４】
2006245862.tif 000006
【図５】
2006245862.tif 000007